(57)【要約】      （修正有）【課題】クリップボードに複数の紙片を載置してこれらをクリップ部により挟持した状態で、使用者が、最上層に載置された紙片を捲ってその下層に載置された紙片を露出させ、下層の紙片に記載された文字や図を見たりそこに何かを書き込んだりといった行為に及ぶに際して、利用者の手指に依らずに最上層の紙片を捲った状態が維持されるクリップボードを提供する。【解決手段】基板２の表面の上端近傍に主挟持具を具備するクリップボードであって、そのクリップボードは、紙片の上端が主挟持具に挟持された状態で主挟持具を跨ぐようにこれを捲ってその下端及びその近傍の部分が基板裏面に接した状態で、そのような状態の紙片の下端を挟持する他面挟持部をさらに具備する。【選択図】図３
2019084692.tif 000002
【特許請求の範囲】
【請求項１】
基板の一面の一端に取り付けるための基部と、当該基部に対して回動可能に設けられる主挟持片と、当該主挟持片を前記基部を押圧するように付勢する付勢手段と、から成る主挟持具を具備するクリップボードであって、
前記基板において前記一面の反対に位置する面である他面に、前記基板に対して回動可能に設けられ、前記基板に接する方向に付勢された他面挟持具を有する
本発明のクリップボード。
【請求項２】
前記基板と前記他面挟持具は、互いに接する方向に付勢された、
請求項１に記載のクリップボード。
【請求項３】
前記他面挟持具は、前記基板に対して回動可能に設けられた他面回動片と、当該他面回動片に折線を介して連設された他面挟持片と、を有する。
請求項１または請求項２に記載のクリップボード。
【請求項４】
前記先端部は、前記他面挟持具が前記基板の他面に接した状態において、前記ヒンジ部から前記先端部にむかって、前記基板から離れる方向に傾斜した指かけ傾斜部を有する
請求項１乃至請求項３のいずれかに記載のクリップボード。
【請求項５】
前記基板の前記一端と対向する位置にある他端に回動可能に設けられ、
前記基板の前記一面に重合される第一位置と、前記基板の前記他面に重合される第二位置と、のいずれかを選択可能に形成された副挟持具を有する
請求項１に記載のクリップボード。
【請求項６】
前記副挟持具は、
前記基板に固定される副固定片と、
当該副固定片に対して回動可能に連設された副挟持片と、
を有する、
請求項５のいずれかに記載のクリップボード。
【発明の詳細な説明】
【技術分野】
【０００１】
本発明は、複数の挟持片を有するクリップボードに関する。
【背景技術】
【０００２】
クリップボードの上部にのみ紙固定クリップ部が設けられたクリップボードに紙片を挟んでこれを固定した場合において、下部においては紙片が固定されないことにより、このクリップボードに紙片が固定された状態で、下部において、紙片が浮き上がることで紙片が折れたり丸まったりする問題があり、このような問題を解決すべく、下部にも紙固定クリップ部が設けられたクリップボードが知られている（特許文献１）。
【先行技術文献】
【特許文献】
【０００３】
【特許文献１】特開平１１−１５７２６９号公報
【０００４】
このようなクリップボードは、上部紙固定クリップ部が紙片の上部を挟んで固定するとともに下部固定クリップ部が紙片の下部を挟んで固定するため、紙片の下部が浮くことを防止し、さらに、これらのクリップ部が、ともに基板に対して回動可能に設けられる押え具と当該押え具を基板を押圧するように付勢する付勢手段とから成る挟持具により形成されているのであれば、紙の固定力が強く、上下方向を逆にして用いることもできる。
【０００５】
また、上部紙固定クリップ部は押え具と付勢手段とを具備する挟持具により形成され、下部固定クリップ部は、基板に対して一体成型により形成される弾性板材とその先端に設けられて基板に載置された紙片を当該基板との間で挟んで押圧する押圧部とにより形成されるのであれば、前者は基板に対する紙の固定力が強く、後者は、紙の固定力は弱いものの紙を基板と押圧部との間に差し入れるだけで容易に紙の固定が出来るため、このようなクリップボードは、上部で紙片を固定したまま下部で紙片を抜き差しするような利用形態においては、上部紙固定クリップ部と下部固定クリップ部とがともに押え具と付勢手段とを具備する挟持具により形成されものに比べて利便性が高い。
【発明の概要】
【発明が解決しようとする課題】
【０００６】
しかし、これらのクリップボードは、ともにその基板に載置された紙片の一端と他端とをそれぞれのクリップ部により挟持することで紙片を固定する点において共通しており、紙片を基板に確実に固定するという目的においては利便性が高いものであるが、複数の紙片を重ねて固定しながら、それぞれの紙片を捲ったり重ねた状態に戻したりといった動作を繰り返すような利用形態である場合、少なくとも一方の紙固定クリップ部において固定のための動作と開放のための動作とを繰り返すことを要し、利便性が高いものではない。
【０００７】
また、クリップボードに複数の紙片を載置してこれらをクリップ部により挟持して、第一の紙片を捲って当該第一の紙片が載置された位置よりも基板に近い位置に載置された第二の紙片を露出させ、利用者が、第二の紙片に記載された文字や図を見たりそこに何かを書き込んだりといった行為に及ぶに際して、第一の紙片は捲った状態が維持されることが望まれるが、クリップボードが、紙片を捲った状態に維持するための手段を有さないのであれば、利用者は、自らの手指などを用いて第一の紙片を押さえ続けなければならず、自らの行為が多大なる制限を受けることになる。
【０００８】
さらに、このような利用形態において第一の紙片が意図せず第二の紙片に重なった状態に戻ってしまった場合、第一の紙片は、その一部が一方の紙固定クリップの上に載置されることになり、このような状態において、紙片に利用者の手指が当たるなどの外力を受けることにより、第一の紙片が折れたり破れたりするおそれがある。
【０００９】
本発明は、これらの課題を解決するクリップボードを提供することを目的とするものである。
【課題を解決するための手段】
【００１０】
本発明のクリップボードは、基板の一面の一端に取り付けるための基部と、当該基部に対して回動可能に設けられる主挟持片と、当該主挟持片を前記基部を押圧するように付勢する付勢手段と、から成る主挟持具を具備するクリップボードであって、前記基板において前記一面の反対に位置する面である他面に、前記基板に対して回動可能に設けられ、前記基板に接する方向に付勢された他面挟持具を有する。
【００１１】
他面挟持具は、他面固定片と、ヒンジ部を介して他面固定片に対して回動可能に連設された他面挟持片とを有し、他面固定片が基板の他面に取り付けられることで、他面挟持片が基板に対して回動可能に配設される。
【００１２】
前記基板と前記他面挟持具は、互いに接する方向に付勢されている。
【００１３】
例えば、基板と他面挟持具の他面挟持片とにそれぞれ互いに引き寄せあう極性関係にある磁性体が埋め込まれていたり、基板と他面挟持具とのいずれが一方に磁性体が埋め込まれ、他方には当該磁性体に引き寄せられる性質を持つ金属片が埋め込まれていたりすることで、基板と他面挟持具との間には互いに接する方向に磁力が生じる。
【００１４】
他面挟持具がこのように形成されることで、基板に載置された紙片を主挟持具により挟持した状態で、その紙片を捲って基板の他面に接触させて、磁力によりその紙片を基板と他面挟持具とで挟んで止めることができる。
【００１５】
前記他面挟持具は、前記基板に対して回動可能に設けられた他面回動片と、当該他面回動片に折線を介して連設された他面挟持片と、を有する。
【００１６】
つまり、他面挟持具は、他面回動片と他面挟持片とを折線を介して連設することで、換言すると、ヒンジ部と他面挟持片との間に他面回動片を設けることで、当該他面回動片を回動させて、挟持する紙片群の厚さに応じて直立若しくは傾斜させて基板に対して起立させるとともに、他面挟持片と基板とが略平行となるように他面挟持片を折線の位置で他面回動片に対して屈曲させることで、基板と他面挟持片との間に紙片群の厚さに相当する離隔を設けることができる。
【００１７】
前記先端部は、前記他面挟持具が前記基板の他面に接した状態において、前記ヒンジ部から前記先端部にむかって、前記基板から離れる方向に傾斜した指かけ傾斜部を有する。
【００１８】
このような指かけ傾斜部が設けられていると、他面挟持具が強い磁力で基板に密着して固定された状態であっても、先端部においては他面挟持片と基板との間には常に隙間が有るため、利用者が自らの手指などをその隙間に掛けることで、容易に他面挟持具を基板から持ち上げることができる。
【００１９】
前記基板の前記一端と対向する位置にある他端に回動可能に設けられ、前記基板の前記一面に重合される第一位置と、前記基板の前記他面に重合される第二位置と、のいずれかを選択可能に形成された副挟持具を有する。
【００２０】
前記副挟持具は、前記基板に固定される副固定片と、当該副固定片に対して回動可能に連設された副挟持片と、を有する、
【００２１】
例えば、基板と副挟持具の挟持部とにそれぞれ互いに引き寄せあう極性関係にある磁性体が埋め込まれていたり、基板と副挟持具とのいずれが一方に磁性体が埋め込まれ、他方には当該磁性体に引き寄せられる性質を持つ金属が埋め込まれていたりすることで、基板と副挟持具との間には互いに接する方向に磁力が生じる。
【００２２】
また、第一固定位置と第二固定位置とを選択的に実現可能とするためには、副挟持具は、基板に対して略３６０°回動可能となるように形成されている必要がある。
【００２３】
これを実現すべく、副固定片と副挟持片との間には屈曲可能に形成された屈曲片を有し、当該屈曲片は、基板の他面に固定された副固定片から延出して、副挟持片を基板の他面において副固定片と重合させるように位置させることと、副挟持片を基板の一面に重合させるように位置させることと、をともに可能なように形成されている。
【発明の効果】
【００２４】
本発明のクリップボードは、このような構成であることにより、基板の一面の一端において主挟持具により複数の紙片を載置してこれらを挟持した状態において、第一の紙片を捲って当該第一の紙片が載置された位置よりも基板に近い位置に載置された第二の紙片を露出させ、利用者が、第二の紙片に記載された文字や図を見たりそこに何かを書き込んだりといった行為に及ぶに際して、第一の紙片を基板の他面において基板と他面挟持具とにより挟持することができるので、第一の紙片は捲られた状態が維持されることとなるため、利用者は、このような場合において自らの手指などを用いて第一の紙片を押さえ続けることを要しない。
【００２５】
さらに、本発明のクリップボードは、基板の一面の一端において主挟持具により紙片を挟持した状態で、副挟持具を第一位置として紙片の一面の他端において紙片を挟持して、紙片を基板に対して強固に挟持することと、それぞれの紙片を捲ったり重ねた状態に戻したりといった動作を繰り返すような利用形態である場合に応じて、副挟持具を一面で紙片と接触しない第二位置として他端で紙片を開放することと、を選択することが可能なものである。
【図面の簡単な説明】
【００２６】
【図１】主挟持具により紙片を挟持したクリップボードの斜視図である。
【図２】挟持した紙片を捲って基板の他面に止めた状態のクリップボードの斜視図である。
【図３】挟持した紙片を捲って基板の他面に止めた状態のクリップボードの右側面図である。
【図４】他面挟持具の近傍を示す拡大右側面図である。
【図５】主挟持具と副挟持具とにより紙片を挟持したクリップボードの斜視図である。
【図６】副挟持具の近傍を示す拡大右側面図である。
【図７】クリップボードに挟持された紙片の主挟持具の近傍が捲れ上がった状態を示す斜視図である。
【図８】紙片固定具が設けられたクリップボードの斜視図である。
【図９】クリップボードの背面図である。
【発明を実施するための形態】
【００２７】
以下、図面を参照しながら本発明の実施形態を説明する。なお、本明細書において、特に説明が無い限り、図９において視認される上下方向を「クリップボードの上下方向」とし、同様に視認される左右方向を「クリップボードの左右方向」とする。
【００２８】
図１に示されたクリップボード１は、基部３１とそれに対して回動可能であって接する方向に付勢された主挟持片３３とから成る主挟持具３が、基板２の一端である上端においてその一面２１と基部３１とが接するように、楔状の取付部３４が基板２と基部３１とを貫いて固定することで取り付けられており、紙片４が、その上端が基部３１と主挟持片３３との間に位置するように基板２の一面２１に載置されると、主挟持片３３の付勢力により基部３１と主挟持片３３との間の位置で挟持される。
【００２９】
このようなクリップボード１に対して紙片４の上端が主挟持具３により挟持された状態において、図２に示されるように、第一の紙片４を捲って当該第一の紙片４が載置された位置よりも基板に近い位置に載置された第二の紙片４を露出させて、第一の紙片４の上端と対向する端部である他端、すなわち下端を基板２の他面２２と後述する他面挟持具５とにより挟持することができる。
【００３０】
より具体的には、図３に示されるように、第一の紙片４の上端が主挟持具３に挟持された状態で、第一の紙片４が主挟持具３を跨いでその下端及びその近傍の部分が基板２の他面２２と他面挟持具５との間に位置しながら基板２の他面２２に接して、当該部分が、基板２と他面挟持具５との間に生じる互いに接する方向の付勢力によりこれらの挟持されることで、紙片４は基板２の他面２２において固定される。
【００３１】
図４（ａ）に示されるように、他面挟持具５は、他面挟持片５１と他面固定片５５とがヒンジ部５４を介して互いに回動可能に連設され、他面固定片５５が基板２の他面２２に対して固定されることで、他面挟持片５１が基板２に対して回動可能な状態となり、例えば、図示しないが、基板２と他面挟持片５１とにそれぞれ互いに引き寄せあう極性関係にある磁性体が埋め込まれていたり、基板２と他面挟持片５１とのいずれが一方に磁性体が埋め込まれ、他方には当該磁性体に引き寄せられる性質を持つ金属片が埋め込まれていたりすることで、基板２と他面挟持片５１との間には互いに接する方向の磁力が生じる。
【００３２】
ところで、紙片４を基板２の他面２２において安定的に固定するには、他面挟持片５１と基板２とが平行となる位置関係にあることが好ましいが、図４（ａ）に示される構成であると、多量の紙片４を捲ってこれらを基板２の他面２２において固定する場合、他面挟持片５１は基板２に対して傾斜した状態で起立することになる。
【００３３】
そこで、このような用途に応じて、図４（ｂ）に示されるように、他面挟持具５は、他面回動片５３と他面固定片５５とがヒンジ部５４を介して互いに回動可能に連設されるとともに、他面挟持片５１と他面回動片５３とが折線５２を介して互いに回動可能に連設されてもよい。
【００３４】
このような構成とすることで、多量の紙片４を捲って基板の他面で止める場合、
他面回動片５３を回動させて、挟持する紙片４の枚数／厚さに応じて直立若しくは傾斜させて基板２に対して起立させるとともに、他面挟持片５１と基板２とが略平行となるように他面挟持片５１を折線５２の位置で他面回動片５３に対して屈曲させることで、基板２と他面挟持片５１との間に紙片４の枚数／厚さに相当する離隔を設けることができる。
【００３５】
次に、図５に示されたクリップボード１について説明する。なお、図１に示されたクリップボード１と同様の構成については、その説明を省略する。
【００３６】
このようなクリップボード１は、主挟持具３が設けられた基板２の下端に、副挟持具６が基板２に対して回動可能に設けられており、紙片４がクリップボード１に載置されてその上端が主挟持具３により挟持された状態で、副挟持具６が紙片４の下端を挟持することができる。
【００３７】
副挟持具６は、図６に示されるように、自らと基板２との間に紙片４を挟持するための副挟持片６１と副固定片６３とが、屈曲可能に形成された屈曲片６２を介して連設され、副固定片６３が基板２の他面２２に対して固定され、屈曲片６２を屈曲させることで、挟持片６１が基板２の一面２１に重合される第一位置と、基板２の他面２２に副固定片６３を介して重合される第二位置と、を選択することができるように形成されている。なお、載置される紙片４が多量であることを想定するなら屈曲片６２は大きめのものを採用すればよいし、載置される紙片４が少量であることを想定するなら屈曲片６２は小さめのものを採用すればよく、さらに、屈曲片６２に代えて、挟持片６１と副固定片６３とがヒンジや折線を介して連設されてもよい。
【００３８】
図６（ａ）は、基板２の一面２１に紙片４が載置されて、副挟持片６１が第二位置にある状態を示すものである。この状態において、紙片４は基板２の下端において挟持されていないため、紙片４の上端が主挟持具３に挟持されているのであれば、紙片４はクリップボード１に綴じられた状態で自由に捲ったり戻したりすることが可能である。
【００３９】
例えば、図示しないが、基板２と副挟持片６１とにそれぞれ互いに引き寄せあう極性関係にある磁性体が埋め込まれていたり、基板２と副挟持片６１とのいずれが一方に磁性体が埋め込まれ、他方には当該磁性体に引き寄せられる性質を持つ金属片が埋め込まれていたりすることで、基板２と副挟持片６１との間には互いに接する方向の磁力が生じる。
【００４０】
基板２と副挟持片６１とがこのように形成されていれば、その磁力によって副挟持片６１は基板２の他面２２に固定されるから、副挟持片６１が紙片４をクリップボード１に綴じられた状態で自由に捲ったり戻したりすることを阻害しないため好適であるが、副挟持片６１を基板２の他面２２に固定することが可能であれば、このような構成に限定される必要は無く、両者が面ファスナーやその他着脱可能に係合する構成であってもよい。
【００４１】
図６（ａ）に示された状態から紙片４の下端を基板２と副挟持片６１との間で挟持するには、副挟持片６１が基板２の他面２２に固定された状態から、利用者の手指などで副挟持片６１を基板２の他面２２から引き離してその固定された状態を解除して、副挟持片６１が基板２に固定されない図６（ｂ）に示された状態を経て、副挟持片６１を基板２の表面２１に面する位置に向けて移動させ、副挟持片６１を図６（ｃ）に示された第一位置に固定すればよい。
【００４２】
前述したように、基板２と副挟持片６１とに磁性体や金属片が埋め込まれた状態であれば、両者の間に生じる磁力は、基板２の一面２１に載置された紙片４を通過して働くため、この力により、紙片４は基板２と副挟持片６１との間で挟持される。
【００４３】
ところで、基板２に載置されて主挟持具３に挟持された紙片４を捲ったり重ねた状態に戻したりといった動作を繰り返すようと、紙片４の材質によっては、その主挟持具３の近傍の箇所において、捲った状態から元に戻らない状態、すなわち‘巻きぐせ’が付いた状態となり、その状態にありながら主挟持具３に挟持され続けると、図７に示されるように、紙片４において主挟持具３の近傍であって左右方向両端の箇所で、‘巻きぐせ’により紙片４が基板２に対して隆起した状態が維持されてしまうことが考えられる。
【００４４】
このような状態を放置すると、利用者の手指が当該隆起した箇所に当たることにより、紙片４が折れてしまったり破れてしまったりといった問題が生じることが考えられる。
【００４５】
そこで、このような４辺を上端及びその近傍において左右方向全長に亘って挟持することができるように、図８に示されるように、主挟持片３３に紙片４の左右方向の長さと同じ若しくはやや長い主挟持片補助具３５を取り付けてもよいし、図示しないが、主挟持片３３の左右方向の長さを紙片４の左右方向の長さと同じ若しくはやや長いものとしてもよい。
【００４６】
図９に示されるように、基板２と基部３１とを貫いた取付部３４が基板の他面２２に現出し、他面固定片５５が基板２の他面２２に固定され、ヒンジ５４を介して、また、他面回動片５３と折線５２を有する構成であるならそれらをも介して、他面挟持片５１が基板２に対して回動可能に形成されている。
【００４７】
また、他面挟持片５１の上下方向の長さが、紙片４の上端が主挟持具３に挟持された状態で主挟持具３を跨ぐようにこれを捲ってその下端及びその近傍の部分が基板２の他面２２に接した状態で、そのような状態の紙片４の下端に至るのであれば、図９において視認されるように他面挟持具５の左右方向の長さが基板２の左右方向の長さと略同じであることに限定される必要は無く、当該左右方向の長さは想定される紙片４の大きさや量に応じて、好適なものが採用されればよい。
【００４８】
副挟持具６の左右方向の長さが基板２のそれよりやや短く設定されており、これにより、副固定具６は、下端を除く各側端が他面固定片５５に囲まれるように形成されているが、このような構成とすることで、他面固定片５５の厚さが副固定片６１のそれよりと同じかそれよりもやや厚いのであれば、副固定片６１が、第二位置にある状態において、利用者の手指が触れて意図せず第二位置から離れてしまうことを防ぐことができるが、このような構成に限定される必要は無く、副挟持具６の左右方向の長さが基板２のそれと略同じであって、副固定片６１の上端と他面固定片５５の下端とが対向する位置関係となるように形成されていてもよい。
【符号の説明】
【００４９】
１  クリップボード
２  基板
２１  基板（一面）
２２  基板（他面）
３  主挟持具
３１  基部
３２  回動部（付勢手段）
３３  主挟持片
３４  取付部
３５  主挟持片補助具
４  紙片
５  他面挟持具
５１  他面挟持片
５２  折線
５３  他面回動片
５４  ヒンジ部
５５  他面固定片
５６  指かけ傾斜部
６  副挟持具
６１  副挟持片
６２  屈曲片
６３  副固定片
【図１】
2019084692.tif 000003
【図２】
2019084692.tif 000004
【図３】
2019084692.tif 000005
【図４】
2019084692.tif 000006
【図５】
2019084692.tif 000007
【図６】
2019084692.tif 000008
【図７】
2019084692.tif 000009
【図８】
2019084692.tif 000010
【図９】
2019084692.tif 000011